(57)【要約】【課題】ユーザの手間なく、測定結果と対応付けて適切な時間情報を記憶することのできる生体情報測定装置を提供すること。【解決手段】生体情報測定装置は、太陽電池５０、メモリ部３９、クロック４３およびＣＰＵ１００を備える。ＣＰＵ１００の設定制御部１０４は、太陽電池５０の出力電圧の最大点を抽出するための抽出部１１６と、抽出された最大点に対応する時刻を特定時刻として、クロック４３の計測値の設定処理を行なうための設定処理部１２４とを有する。メモリ部３９には、測定された生体情報が、クロック４３の計測値に基づく、測定の際の時間情報と対応付けられて記憶される。【選択図】図４
2009195598.tif 000002
【特許請求の範囲】
【請求項１】
被測定者の生体情報を測定するための生体情報測定装置であって、
前記被測定者の特性情報を検出するための検出手段と、
太陽光を受光し、受光した光エネルギーを電気エネルギーに変換するための太陽電池と、
計時動作を行なうための計時手段と、
前記生体情報測定装置の制御を行なうための制御手段とを備え、
前記制御手段は、
前記検出手段により検出された前記特性情報に基づいて、前記生体情報の測定制御を行なうための測定制御手段と、
前記計時手段の設定制御を行なうための設定制御手段とを含み、
前記設定制御手段は、
前記太陽電池の出力電圧の最大点を抽出するための抽出手段と、
抽出された最大点に対応する時刻を特定時刻として、前記計時手段の計測値の設定処理を行なうための設定処理手段とを有し、
測定された前記生体情報を、前記計時手段の計測値に基づく、測定の際の時間情報と対応付けて記憶するための記憶手段をさらに備える、生体情報測定装置。
【請求項２】
前記時間情報は、１日を構成する複数の時間帯のうちの１つを表わし、
前記測定制御手段は、前記生体情報の測定の際の時間帯を判定するための判定手段とをさらに有し、
表示手段と、
前記記憶手段に記憶された前記生体情報と前記時間帯とを関連付けて前記表示手段に表示するための処理を行なう表示処理手段とをさらに備える、請求項１に記載の生体情報測定装置。
【請求項３】
前記時間情報は、時刻であり、
表示手段と、
前記記憶手段に記憶された前記生体情報を前記表示手段に表示するための処理を行なう表示処理手段とをさらに備え、
前記表示処理手段は、前記記憶手段に記憶された測定の際の時刻を時間帯に置換し、置換した時間帯を前記生体情報とともに表示する、請求項１に記載の生体情報測定装置。
【請求項４】
前記抽出手段は、前記出力電圧について、２つの最大点を抽出し、
前記設定制御手段は、
前記最大点に対応する時刻を前記特定時刻として、現在時刻を推定するための時刻推定手段と、
推定された現在時刻を表わす推定時刻と、前記計時手段の計測値に基づく時刻を表わす計測時刻とを比較して、前記推定時刻と前記計測時刻との差が第１所定時間以上であるか否かを判断するための比較手段とをさらに有し、
前記設定処理手段は、前記推定時刻と前記計測時刻との差が前記第１所定時間以上であると判断された場合に、前記計測手段の計測値を前記推定時刻に基づいて設定する、請求項２または３に記載の生体情報測定装置。
【請求項５】
前記設定制御手段は、前記抽出手段により２つの最大点が抽出された場合に、１つ目の最大点が抽出されてから第２所定時間経過したか否かを判断するための判断手段をさらに有し、
前記時刻推定手段は、前記判断手段により前記第２所定時間経過したと判断された場合にのみ、現在時刻を推定する、請求項４に記載の生体情報測定装置。
【請求項６】
前記記憶手段は、前記生体情報と対応付けて、前記時間情報の信頼度をさらに記憶し、
前記設定処理手段は、前記計時手段の計測値の設定処理をした場合に、前記信頼度を更新する、請求項１〜５のいずれかに記載の生体情報測定装置。
【請求項７】
前記記憶手段は、前記生体情報と対応付けて、前記時間情報の信頼度をさらに記憶し、
前記表示処理手段は、さらに、前記時間帯と関連付けて、前記信頼度を表示する、請求項２〜５のいずれかに記載の生体情報測定装置。
【請求項８】
前記太陽電池が出力する電気エネルギーを蓄えるための蓄電手段をさらに備え、
前記制御手段は、前記蓄電手段により蓄電された電気エネルギーを電源して動作する、請求項１〜７のいずれかに記載の生体情報測定装置。
【請求項９】
前記太陽電池からの電気エネルギーの出力先を、前記蓄電手段および前記制御手段のうちいずれか一方に切替るための切替手段をさらに備え、
前記設定制御手段は、前記蓄電手段の充電中、定期的に前記切替手段の切替制御するための切替制御手段と、
前記切替手段が前記制御手段を選択した場合に、前記太陽電池の出力を取得するための取得手段とをさらに有する、請求項８に記載の生体情報測定装置。
【請求項１０】
前記生体情報は、血圧を含み、
前記被測定者の所定の身体部位に巻き付けるためのカフをさらに備え、
前記検出手段は、前記被測定者の前記特性情報として、前記カフ内の圧力を表わすカフ圧を検出し、
前記測定制御手段は、検出されたカフ圧に基づいて、前記被測定者の血圧を算出するための算出手段を含む、請求項１〜９のいずれかに記載の生体情報測定装置。
【発明の詳細な説明】
【技術分野】
【０００１】
本発明は、生体情報測定装置に関し、特に、測定結果と測定の際の時間情報とを対応付けて記憶する生体情報測定装置に関する。
【背景技術】
【０００２】
従来より、家庭など院外においても、血圧や体組成といった生体情報を測定可能な生体情報測定装置が市販されている。
【０００３】
たとえば血圧の場合、早朝高血圧は心臓病や脳卒中などに関係しており、早朝高血圧や夜間高血圧の発見が重要視されている。時間と血圧との相互関係を把握することが、心血管系の疾患のリスク解析には有用である。
【０００４】
そのため、たとえば家庭用の生体情報測定装置は、クロックなどの計時部を備えており、測定された生体情報と、測定の際の時間情報とを対応付けて記憶する。これにより、専門医などが記憶された測定データを参照することで、早朝／夜間高血圧の発見や被測定者の健康管理を可能にしている。
【０００５】
ところで、省エネルギーの観点などから、太陽電池を備えた装置が提案されている。たとえば特許文献１には、ソーラー時計が開示されている。ソーラー時計は、太陽電池の出力に基づいて周囲の明るさを判断し、周囲が暗く、かつ、機器が特定の姿勢に設定されたときのみ照明手段を点灯することが開示されている。
【特許文献１】特開平１０−２３９４６４号公報
【発明の開示】
【発明が解決しようとする課題】
【０００６】
生体情報測定装置での測定結果に基づいて、効果的に健康管理を実現するためには、測定結果と対応付けて適切な時間情報を記憶することが必要となる。
【０００７】
しかしながら、従来の生体情報測定装置におけるクロックの設定は、ユーザ任せであり、クロック機能は、ユーザによる手動設定により実現される。そのため、適切な（正しい）時間情報が記憶されているとは限らず、測定結果を健康管理に用いることができない恐れもある。
【０００８】
上記特許文献１では、太陽電池の出力に基づいて照明手段の駆動制御が行なわれるが、太陽電池の出力に基づいて計時部の設定制御をすることについては開示されていない。
【０００９】
本発明は、上記のような問題を解決するためになされたものであって、その目的は、ユーザの手間なく、測定結果と対応付けて適切な時間情報を記憶することのできる生体情報測定装置を提供することである。
【課題を解決するための手段】
【００１０】
この発明のある局面に従う生体情報測定装置は、被測定者の生体情報を測定するための生体情報測定装置であって、被測定者の特性情報を検出するための検出手段と、太陽光を受光し、受光した光エネルギーを電気エネルギーに変換するための太陽電池と、計時動作を行なうための計時手段と、生体情報測定装置の制御を行なうための制御手段とを備え、制御手段は、検出手段により検出された特性情報に基づいて、生体情報の測定制御を行なうための測定制御手段と、計時手段の設定制御を行なうための設定制御手段とを含み、設定制御手段は、太陽電池の出力電圧の最大点を抽出するための抽出手段と、抽出された最大点に対応する時刻を特定時刻として、計時手段の計測値の設定処理を行なうための設定処理手段とを有し、測定された生体情報を、計時手段の計測値に基づく、測定の際の時間情報と対応付けて記憶するための記憶手段をさらに備える。
【００１１】
好ましくは、時間情報は、１日を構成する複数の時間帯のうちの１つを表わし、測定制御手段は、生体情報の測定の際の時間帯を判定するための判定手段をさらに有し、表示手段と、記憶手段に記憶された生体情報と時間帯とを関連付けて表示手段に表示するための処理を行なう表示処理手段とをさらに備える。
【００１２】
あるいは、時間情報は、時刻であり、表示手段と、記憶手段に記憶された生体情報を表示手段に表示するための処理を行なう表示処理手段とをさらに備え、表示処理手段は、記憶手段に記憶された測定の際の時刻を時間帯に置換し、置換した時間帯を生体情報とともに表示することが好ましい。
【００１３】
好ましくは、抽出手段は、出力電圧について、２つの最大点を抽出し、設定制御手段は、最大点に対応する時刻を特定時刻として、現在時刻を推定するための時刻推定手段と、推定された現在時刻を表わす推定時刻と、計時手段の計測値に基づく時刻を表わす計測時刻とを比較して、推定時刻と計測時刻との差が第１所定時間以上であるか否かを判断するための比較手段とをさらに有し、設定処理手段は、推定時刻と計測時刻との差が第１所定時間以上であると判断された場合に、計測手段の計測値を推定時刻に基づいて設定する。
【００１４】
好ましくは、設定制御手段は、抽出手段により２つの最大点が抽出された場合に、１つ目の最大点が抽出されてから第２所定時間経過したか否かを判断するための判断手段をさらに有し、時刻推定手段は、判断手段により第２所定時間経過したと判断された場合にのみ、現在時刻を推定する。
【００１５】
好ましくは、記憶手段は、生体情報と対応付けて、時間情報の信頼度をさらに記憶し、設定処理手段は、計時手段の計測値の設定処理をした場合に、信頼度を更新する。
【００１６】
好ましくは、記憶手段は、生体情報と対応付けて、時間情報の信頼度をさらに記憶し、表示処理手段は、さらに、時間帯と関連付けて、信頼度を表示する。
【００１７】
好ましくは、太陽電池が出力する電気エネルギーを蓄えるための蓄電手段をさらに備え、制御手段は、蓄電手段により蓄電された電気エネルギーを電源して動作する。
【００１８】
好ましくは、太陽電池からの電気エネルギーの出力先を、蓄電手段および制御手段のうちいずれか一方に切替るための切替手段をさらに備え、設定制御手段は、蓄電手段の充電中、定期的に切替手段の切替制御するための切替制御手段と、切替手段が制御手段を選択した場合に、太陽電池の出力を取得するための取得手段とをさらに有する。
【００１９】
好ましくは、生体情報は、血圧を含み、被測定者の所定の身体部位に巻き付けるためのカフをさらに備え、検出手段は、被測定者の特性情報として、カフ内の圧力を表わすカフ圧を検出し、測定制御手段は、検出されたカフ圧に基づいて、被測定者の血圧を算出するための算出手段を含む。
【発明の効果】
【００２０】
本発明によると、太陽電池の出力に基づき、計時手段の設定制御が自動的に行なわれる。したがって、ユーザに手間をかけることなく、測定された測定結果と対応付けて適切な時間情報を記憶手段に記憶させることができる。
【発明を実施するための最良の形態】
【００２１】
本発明の実施の形態について図面を参照しながら詳細に説明する。なお、図中同一または相当部分には同一符号を付してその説明は繰返さない。
【００２２】
本実施の形態における生体情報測定装置は、生体情報を測定する。本実施の形態において、「生体情報」とは、健康管理に有用な生体の情報であり、少なくとも、血圧および体組成のうちのいずれかを含む。
【００２３】
本実施の形態における生体情報測定装置の説明に先立ち、一般的な生体情報測定装置における計時部たとえばクロックの設定操作について簡単に説明する。
【００２４】
乾電池を内蔵する生体情報測定装置では、電池交換の度に、ユーザが内蔵されたクロックの設定操作をしなければならない。また、クロックの設定をしなくても測定可能な装置も多い。そのため、ユーザは、クロックの設定操作をおろそかにする恐れがある。
【００２５】
そうすると、実際は朝に測定した生体情報であっても、装置には夜に測定した生体情報として記憶される恐れがある。そのような場合、時間と生体情報との相互関係（生体情報の時間帯による変化）を正確に把握することはできない。
【００２６】
そこで、本実施の形態における生体情報測定装置は、太陽電池の出力に基づいて、計時部の設定処理を行なう。つまり、所定の条件を満たした場合に、計時部の計測値（内部設定時刻）の設定を行なう。本実施の形態において、「計時部」は、計時動作を行なうためのデバイスであり、時刻を計測するためのクロック、または、カウント動作を行なうためのタイマを含む。
【００２７】
以下の説明において、生体情報測定装置が血圧計であると仮定する。しかしながら、生体情報測定装置は、血圧計に限定されるものではなく、体組成計、あるいは、血圧と体組成の両方を測定可能な装置であってもよい。
【００２８】
＜外観および構成について＞
（外観について）
はじめに図１および図２を参照して、本実施の形態における血圧計１の外観について説明する。
【００２９】
図１は、本発明の実施の形態における血圧計１の外観を示す図である。
図１を参照して、血圧計１は、本体部１０と、被測定者のたとえば上腕に巻付けるためのカフ２０と、本体部１０とカフ２０とを接続するためのエアチューブ２４Ａとを備える。また、血圧計１は、手動式の加圧機構を備えており、たとえば、ゴム球３０および、ゴム球３０と本体部１０とを接続するためのエアチューブ２４Ｂとを備える。ゴム球３０は、ユーザにより押圧操作されることで、エアチューブ２４（２４Ａ，２４Ｂ）を介して、カフ２０に空気を送り込む。
【００３０】
図２は、本発明の実施の形態における本体部１０を後方から見た斜視図である。
図１および図２を参照して、本体部１０は、５面体であり、机などの台と接する設置面と、設置面と所定の角度をなす表面１０Ａと、設置面に対して垂直な面である２つの側面１０Ｂ，１０Ｃおよび背面１０Ｄとを有している。
【００３１】
本体部１０の表面１０Ａには、測定結果などを表示するための表示部４０と、ユーザ（代表的に被測定者）からの指示の入力を受付けるための操作部４１とが配置される。操作部４１は、たとえば、電源のＯＮ／ＯＦＦを切替えるための電源スイッチ４１Ａ、測定開始の指示を入力するための測定スイッチ４１Ｂ、および、過去の測定結果を読出して表示する指示を入力するためのメモリスイッチ４１Ｃとを含む。
【００３２】
表示部４０は、たとえば液晶等のディスプレイにより構成される。
本体部１０の左側面１０Ｂには、上述のエアチューブ２４Ａ，２４Ｂが接続されている。
【００３３】
本体部１０の背面１０Ｄには、太陽電池（ソーラーパネル）５０が配置される。これにより、血圧計１を室内の窓際など外光が差す場所に置くと、太陽電池５０が太陽光を受光し、受光した光エネルギーを電気エネルギーに変換する。つまり、太陽電池５０は、受光量に応じて、電気エネルギーを発生する。発生した電気エネルギーは、本体部１０に内蔵された充電池５１に出力される。
【００３４】
なお、血圧計１の本体部１０の形状はこのような例に限定されない。また、手動式の加圧機構としてゴム球３０を備えることとしたが、これに限定されない。
【００３５】
また、本実施の形態における血圧計１は太陽電池５０を電源とする装置であるがゆえに、手動式の加圧機構を設けることとするが、これに代えて、または加えて、周知の自動加圧機構を設けてもよい。周知の自動加圧機構は、たとえば、カフ２０に空気を送り込むためのポンプ、ポンプを駆動するための駆動回路、カフ２０の空気を排気するための排気弁、および排気弁を駆動するための駆動回路を含む。
【００３６】
（構成について）
図３は、本発明の実施の形態における血圧計１のハードウェア構成を示すブロック図である。
【００３７】
図３を参照して、血圧計１のカフ２０は、空気が内包される空気袋２１を含む。ゴム球３０は、空気袋２１にエアチューブ２４（２４Ａ，２４Ｂを含む）を介して空気を供給または排出する。ゴム球３０の所定の位置には、空気を排出するための極小な排気口３１が設けられている。また、ゴム球３０は、操作部４１に含まれる専用スイッチ（図示せず）が押下されることで空気を急速に排気することができる。ユーザは、ゴム球３０の押圧操作をすることで、空気袋２１に空気を供給することができる。
【００３８】
本体部１０は、各部を集中的に制御および監視するためのＣＰＵ（Central Processing Unit）１００と、圧力センサ３２と、発振回路３５と、不揮発性のメモリ部３９と、表示部４０と、操作部４１と、電源部４２と、時刻を計測するためのクロック４３とを内蔵する。
【００３９】
圧力センサ３２は、被測定者の特性情報として、空気袋２１内の圧力（以下、「カフ圧」という）を検出するためのデバイスである。圧力センサ３２は、カフ圧により容量値が変化する。発振回路３５は、圧力センサ３２の容量値に応じた発振周波数の信号をＣＰＵ１００に出力する。ＣＰＵ１００は、発振回路３５から得られる信号を圧力に変換し圧力を検知する。
【００４０】
メモリ部３９は、ＣＰＵ１００に所定の動作をさせるプログラムや測定結果情報などの各種情報を記憶する。
【００４１】
電源部４２は、操作部４１からの電源ＯＮの指示によりＣＰＵ１００に電力を供給する。電源部４２は、太陽電池５０が出力する電気エネルギーを蓄えるための充電池（蓄電池）５１を含む。血圧計１は、充電池５１に蓄えられた電気エネルギーを電源として動作する。充電池５１は、たとえばニッケル水素電池である。なお、電源部４２は、充電池５１に加え、乾電池（図示せず）などをさらに含んでいてもよい。また、電源部４２は、ＡＣ（Alternating Current）アダプタ（図示せず）による充電池５１の充電手段をさらに含んでいてもよい。
【００４２】
本実施の形態において、本体部１０は、太陽電池５０からの出力を充電池５１とＣＰＵ１００とのうちいずれか一方に切替えるための切替部５２、および、アナログ信号をデジタル信号に変換するためのＡ／Ｄ変換部５３をさらに備えている。切替部５２は、たとえばスイッチで構成され、ＣＰＵ１００により制御される。切替部５２は、所定の場合を除いて、太陽電池５０と充電池５１とを電気的に接続する。Ａ／Ｄ変換部５３は、切替部５２からの出力信号をデジタル信号に変換し、ＣＰＵ１００に出力する。
【００４３】
図４は、本発明の実施の形態における血圧計１の機能構成を示す機能ブロック図である。なお、ＣＰＵ１００と直接的に信号の授受を行なわないハードウェアについては図示を省略している。
【００４４】
図４を参照して、ＣＰＵ１００は、充電池５１の電圧を監視するための電圧監視部１０２と、太陽電池５０の出力特性に基づいて計時部（クロック４３）の設定制御を行なうための設定制御部１０４と、被測定者の血圧の測定制御を行なうための測定制御部１０６と、メモリ部３９に記憶された測定結果情報を表示する処理を行なうための表示処理部１０８とを含む。
【００４５】
電圧監視部１０２は、充電池５１の電圧を監視することで、太陽電池５０による充電中であるか否かを判断する。その判断結果を設定制御部１０４に出力する。
【００４６】
設定制御部１０４は、充電池５１が充電中と判断された場合に、太陽電池５０の出力特性を取得することで、クロック４３の設定制御を行なう。
【００４７】
設定制御部１０４は、切替制御部１１２と、取得部１１４と、抽出部１１６と、判断部１１８と、推定部１２０と、比較部１２２と、設定処理部１２４とを有する。
【００４８】
切替制御部１１２は、切替部５２の制御を行なう。
取得部１１４は、太陽電池５０からの出力を取得する。より具体的には、取得部１１４は、定期的に太陽電池５０が出力する電気エネルギーを取得し、電圧を検出する。これにより、太陽電池５０の出力特性が得られる。
【００４９】
抽出部１１６は、取得部１１４により取得された出力特性に基づいて、太陽電池５０の出力の最大点を抽出する。より具体的には、抽出部１１６は、充電中に、２つの最大点を抽出する。
【００５０】
判断部１１８は、抽出部１１６により２つの最大点が抽出された場合に、１つ目の最大点が抽出されてから所定時間（たとえば２４時間）経過したか否かを判断する。なお、ここでの所定時間は、天気の変化等による多少の誤差も考慮して、２２時間〜２４時間の間で設定されることが好ましい。
【００５１】
推定部１２０は、抽出部１１６が抽出した最大点に基づいて、現在時刻を推定する。より具体的には、推定部１２０は、判断部１１８により所定時間経過したと判断された場合に、現在時刻を推定する。
【００５２】
比較部１２２は、推定された推定時刻と、クロック４３による計測時刻とを比較する。より具体的には、推定時刻と計測時刻との差が所定時間以上であるかを判断する。
【００５３】
設定処理部１２４は、抽出された最大点に対応する時刻を特定時刻として、クロック４３の計測時刻の設定を行なう。設定処理部１２４は、比較部１２２による比較の結果、推定時刻と計測時刻との差が所定時間以上である場合にのみ、クロック４３の計測時刻を変更する（時刻を進める、または遅らす）。
【００５４】
ここで、本実施の形態における設定制御部１０４の機能について、図５および図６を用いて具体的に説明する。
【００５５】
図５は、太陽電池５０が受光する照度の日内変動の典型例を示すグラフである。このグラフにおいて、縦軸が照度（単位：ルクス）、横軸が時間で表わされている。図５を参照して、照度は、天気によって値は異なる。しかしながら、１日単位で照度の変化を見た場合、地域が同じであれば、天気に関わらず、照度の最大点はほぼ同じ時刻（たとえば１２時）になっていることが分かる。縦軸の照度は、太陽電池５０の出力として捉えることができる。
【００５６】
図６は、太陽電池５０の出力電圧の２つの最大点の時間関係を示すグラフである。上述のように、１日単位の出力最大点（ピーク値）が抽出される時刻はほぼ同時刻である。そのため、図６に示したように、１つ目のピーク値が抽出されてから、２つ目のピーク値が抽出されるまでの時間は、およそ２４時間となる。
【００５７】
血圧計１が、窓際などの特定の位置に所定期間継続して置かれていれば、上記２つの特徴（出力最大点は、どのような天気の日であってもほぼ同じ時刻になること、１日目と２日目との最大点の検出時刻の差は、約２４時間になること）が検出可能である。このような特徴に基づいて、設定制御部１０４は、以下に具体的に説明するような動作をする。
【００５８】
なお、設定制御部１０４による機能を効果的に実現させるためには、自動的にクロック設定したい場合には、血圧計１を窓際に所定期間（たとえば２日）置いておくことをユーザに報知することが好ましい。
【００５９】
再び図４を参照して、測定制御部１０６は、算出部１３２と、判定部１３４と、格納処理部１３６とを有する。
【００６０】
算出部１３２は、発振回路３５からの出力に基づいて、被測定者の血圧を算出する。より具体的には、算出部１３２は、たとえば、減圧過程においてオシロメトリック法により血圧を算出する。しかしながら、血圧算出方法は、特に限定されず、他の手法により実行されてもよい。
【００６１】
判定部１３４は、クロック４３の計測時刻に基づいて、測定の際の時間帯を判定する。判定部１３４は、１日を構成する複数の時間帯のうち、現在の時間帯を判定する。複数の時間帯は、少なくとも、朝、昼および夜を含み、好ましくは、朝、午前、午後、夜および深夜を含む。本実施の形態では、後者のように、５つの時間帯が予め定められている。各時間帯は、たとえば上記図６に示されるように、０時〜６時が深夜、６時〜９時が朝、９時〜１２時が午前、１２時〜２１時が午後、２１時〜２４時が夜として定められる。
【００６２】
格納処理部１３６は、算出部１３２により算出された血圧と、判定部１３４により判定された測定の際の時間帯とを対応付けてメモリ部３９に格納する。
【００６３】
上記したように、設定制御部１０４の設定処理部１２４は、太陽電池５０からの出力に基づいて、クロック４３の計測時刻を設定するため、クロック４３が正確な時刻を計測しているとは限らない。そのため、本実施の形態では、測定された血圧と対応付けられる時間情報として、時刻ではなく時間帯を用いる。これにより、クロック４３の計測時刻が実際の現在時刻と多少ずれていた場合であっても、時間帯としては精度良く判定することができる。
【００６４】
また、早朝高血圧などを判断するためには、測定の際の時刻が朝かどうかで判断される。したがって、本実施の形態では、健康管理をする上で、時刻よりも有用である時間情報（時間帯）が、測定された血圧と対応付けられて記憶される。
【００６５】
なお、「測定の際の時間帯」とは、血圧算出のための特性情報（カフ圧）が検出されたときの時間的な状況を特定するための情報であり、たとえば、測定スイッチ４１Ｂが押下された時点における時刻を含む時間帯である。
【００６６】
表示処理部１０８は、メモリ部３９に記憶された、測定結果（血圧）と、測定の際の時間帯とを関連付けて表示部４０に表示する。
【００６７】
図４においてＣＰＵ１００に含まれた各機能ブロックの動作は、メモリ部３９中に格納されたソフトウェアを実行することで実現されてもよいし、少なくとも１つについては、ハードウェアで実現されてもよい。
【００６８】
＜動作について＞
（クロック設定処理）
図７は、本発明の実施の形態における血圧計１のＣＰＵ１００が実行するクロック設定処理の流れを示すフローチャートである。図７のフローチャートに示す処理は、予めプログラムとしてメモリ部３９に格納されており、ＣＰＵ１００がこのプログラムを読み出して実行することにより、クロック設定処理の機能が実現される。
【００６９】
なお、図７に示す処理は、後述するタイマがカウントされていない場合に、定期的に実行される処理である。
【００７０】
図７を参照して、電圧監視部１０２は、充電池５１の電圧を内部メモリに記録する（ステップＳ２）。電圧監視部１０２は、この記録値に基づいて、太陽電池５０による充電が開始されたか否かを判断する（ステップＳ４）。充電が開始されていないと判断した場合（ステップＳ４においてＮＯ）、ステップＳ２に戻る。これにより、充電池５１の電圧が定期的に記録される。充電が開始されたと判断した場合（ステップＳ４においてＹＥＳ）、ステップＳ６に進む。
【００７１】
ステップＳ６において、設定制御部１０４は、タイマのカウントを開始する。
電圧監視部１０２は、タイマカウントされている間も、充電池５１の電圧を監視し、記録する（ステップＳ８）。電圧監視部１０２は、記録した電圧に基づいて、充電が終了したか否かを判断する（ステップＳ１０）。充電が終了していないと判断した場合（ステップＳ１０においてＮＯ）、ステップＳ１２に進む。充電が終了したと判断した場合、ステップＳ３２に進む。
【００７２】
ステップＳ１２において、設定制御部１０４の切替制御部１１２は、切替部５２に制御信号を送信し、太陽電池５０からの出力を、充電池５１からＣＰＵ１００に切替える。このようにして、太陽電池５０を出力測定用負荷（具体的には１０ｋΩ程度の抵抗）に切替える。
【００７３】
その状態において、取得部１１４は、Ａ／Ｄ変換部５３を介して太陽電池５０の出力を取得し、太陽電池５０の電圧を内部メモリに一時的に記録する（ステップＳ１４）。この処理が終わると、切替制御部１１２は、切替部５２に制御信号を送信し、太陽電池５０からの出力を再び充電池５１に切替える。
【００７４】
次に、抽出部１１６は、太陽電池５０の出力グラフを算出し（ステップＳ１６）、太陽電池５０の出力のピーク（最大点）が２回抽出できたか否かを判断する（ステップＳ１８）。出力グラフは、たとえば、図６に示したようなものとなる。
【００７５】
太陽電池５０のピークが２回抽出されたと判断した場合（ステップＳ１８においてＹＥＳ）、ステップＳ２０に進み、抽出されていないと判断した場合（ステップＳ１８においてＮＯ）、ステップＳ８に戻る。
【００７６】
ステップＳ２０において、判断部１１８は、１回目のピークから２４時間経過したか否かを判断する。１回目のピークから２４時間経過したと判断した場合（ステップＳ２０においてＹＥＳ）、ステップＳ２２に進み、経過していないと判断した場合（ステップＳ２０においてＮＯ）、ステップＳ３２に進む。
【００７７】
ステップＳ２２において、設定制御部１０４は、タイマのカウントを終了する。次に、推定部１２０は、出力ピークが抽出された時点（以下「ピーク時点」ともいう）を特定時刻（たとえば１２時）として、現在時刻を算出（推定）する（ステップＳ２４）。より具体的には、たとえば、予めメモリ部３９に記憶された特定時刻と、２つ目のピーク時点におけるタイマのカウント値と、タイマの最終カウント値とに基づいて、現在時刻を算出する。
【００７８】
なお、現在時刻の推定には、地域情報を考慮することが好ましい。ピーク時点の時刻は、太陽の日射時間の関係などにより、どの地域（国）でも同じとは限らない。そのため、上記特定時刻は、出荷時に、血圧計１の仕向地に応じて定めておくことが好ましい。あるいは、操作部４１によりユーザが設定および変更できてもよい。
【００７９】
続いて、比較部１２２は、推定された現在時刻が、内部設定時刻（クロック４３による計測時刻）と、所定時間（たとえば３０分）以上ずれているか否かを判断する（ステップＳ２６）。所定時間以上ずれていると判断した場合（ステップＳ２６においてＹＥＳ）、ステップＳ２８に進む。所定時間以上ずれていないと判断した場合（ステップＳ２６においてＮＯ）、ステップＳ３０に進む。
【００８０】
ステップＳ２８において、設定処理部１２４は、ステップＳ２４で算出された現在時刻に基づいて、クロック４３の時刻を変更する。つまり、設定処理部１２４は、クロック４３の計測時刻が、たとえば、算出された現在時刻になるようクロック４３の設定処理を行なう。この処理が終わるとステップＳ３０に進む。
【００８１】
ステップＳ３０において、設定制御部１０４は、表示部４０に、クロックの設定済みを表示する。
【００８２】
ステップＳ３２において、設定制御部１０４は、表示部４０に、クロックの未設定を表示する。
【００８３】
以上で、設定制御部１０４によるクロック設定処理は終了される。
このように、本実施の形態では、充電期間を利用して、クロック設定処理が自動的に行なわれる。これにより、ユーザに手間をとらせることなく、適切な時刻が設定される。
【００８４】
また、ステップＳ１８において、ピークが２回測定できたとしても、すぐに現在時刻の推定を行なわず、２つ目のピークが１つ目のピークから所定時間（２４時間）経過したか否かを判断することとした。日中の天気の変化により、２つ目のピークがすぐに（たとえば５時間後）抽出された場合には、計測時刻の設定を行なわない。これにより、計測時刻が不適切な時刻に設定されることを防ぐことができる。
【００８５】
（血圧測定処理）
図８は、本発明の実施の形態における血圧測定処理の流れを示すフローチャートである。図８のフローチャートに示す処理は、予めプログラムとしてメモリ部３９に格納されており、ＣＰＵ１００がこのプログラムを読み出して実行することにより、血圧測定処理の機能が実現される。
【００８６】
図８を参照して、ＣＰＵ１００は、電源スイッチ４１Ａが押下されたことを検知すると、所定の初期化処理を実行する（ステップＳ１０２）。
【００８７】
次に、測定スイッチ４１Ｂが押下されたことを検知すると、ＣＰＵ１００の測定制御部１０６は、カフ２０の加圧処理を実行する（ステップＳ１０４）。本実施の形態では、手動式の加圧機構を設けている。そのため、測定制御部１０６は、ステップＳ１０４において、発振回路３５からの出力に基づきカフ圧を検出し、カフ圧が所定値（たとえば１８０ｍｍＨｇ）に達したか否かを判断する。測定制御部１０６は、カフ圧が所定値に達するまでの間、ユーザに対し加圧操作を促してもよい。具体的には、たとえば、表示部４０に、現在のカフ圧と所定値との両方を表示して、ユーザに加圧の操作を促進すればよい。
【００８８】
なお、測定制御部１０６は、カフ圧がたとえば５０ｍｍＨｇに達した場合に、脈波測定を開始することとしてよい。
【００８９】
測定制御部１０６は、カフ圧が所定値に達したと判断した場合、加圧操作の終了を報知する。これにより、ゴム球３０の排気口３１より定量で空気が排気され、カフ圧は徐々に減圧される（ステップＳ１０６）。
【００９０】
なお、本実施の形態では、カフ圧が所定値に達した場合に、ユーザに対し、加圧操作を終了するよう報知することとした。しかしながら、ユーザが加圧操作の終了タイミングが把握できれば、このような処理は行なわなくてもよい。たとえば、現在のカフ圧を表示することで、ユーザに対し、加圧操作の終了タイミングを知らせることができる。
【００９１】
次に、測定制御部１０６の算出部１３２は、公知の手順で血圧（最高血圧、最低血圧）を算出する（ステップＳ１０８）。具体的には、カフ圧が徐々に減圧する過程において、算出部１３２は発振回路３５から得られる発振周波数に基づき脈波情報を抽出する。そして、抽出された脈波情報により血圧を算出する。算出部１３２は、公知の手法により脈拍数をさらに算出してもよい。
【００９２】
また、測定制御部１０６の判定部１３４は、クロック４３の計測時刻に基づき、現在の時間帯を判定する（ステップＳ１１０）。すなわち、判定部１３４は、現在時刻が、朝、午前、午後、夜および深夜のうちどの時間帯に含まれるかを判定する。
【００９３】
時間帯が判定されると、測定制御部１０６の格納処理部１３６は、算出された血圧と判定された時間帯とを対応付けてメモリ部３９に格納する（ステップＳ１１２）。本実施の形態における測定結果の格納例を図９に示す。
【００９４】
図９は、本発明の実施の形態における測定結果情報のデータ構造を示す図である。
図９を参照して、メモリ部３９における測定結果記録領域３９０には、測定値と時間帯とが対応付けられたレコードが、測定データＭ１〜Ｍｍ（ただし、ｍ＝１，２，３，…）として格納される。各測定データには、最高血圧を示す最高血圧データＳＢＰ、最低血圧を示す最低血圧データＤＢＰ、脈拍数を示す脈拍数データＰＬＳ、および、時間帯データＴが含まれる。時間帯データＴは、上記５つの時間帯のうちの判定された時間帯を識別するためのデータである。
【００９５】
なお、測定値と測定の際の時間帯とは、対応付けされて格納されればよく、レコードを用いた格納形式に限定されるものではない。
【００９６】
再び図８を参照して、測定制御部１０６は、算出された血圧と判定された時間帯とを表示部４０に表示する（ステップＳ１１４）。
【００９７】
図１０は、本発明の実施の形態における測定結果の表示画面の一例を示す図である。
図１０を参照して、表示部４０の領域４０１には、測定の際の時間帯情報が表示される。表示部４０の領域４０２、４０３および４０４には、それぞれ、算出された最高血圧、最低血圧および脈拍数が表示される。
【００９８】
本実施の形態では、領域４０１には、５つの時間帯それぞれを示す文字が表示され、判定された時間帯を示す文字のみが点灯表示される。なお、時間帯情報の表示形態はこのような例に限定されるものではない。たとえば、各時間帯が記号または絵で表わされてもよい。また、時間帯ごとに表示領域を別途設けるのではなく、共通の表示領域に判定された時間帯を示す文字が表示されてもよい。
【００９９】
以上で、血圧測定処理は終了される。
上述のような血圧測定処理が実行される度に、メモリ部３９には、図９に示したような測定データが記録される。ＣＰＵ１００の表示処理部１０８は、メモリスイッチ４１Ｃが押下されたことを検知した場合に、記憶された測定データを１つずつ表示部４０に表示する処理を行なう。その際に表示される画面も、図１０と同様であってよく、測定値と、測定の際の時間帯とが関連付けられて表示される。
【０１００】
このように、過去の測定結果をユーザや専門医が確認する場合にも、測定値と、測定の際の時間帯とが関連付けられて表示される。本実施の形態では、自動的にクロック設定が行なわれるので、ユーザ任せのクロック設定よりも、表示される時間帯の信頼度が高くなる。
【０１０１】
また、時刻ではなく時間帯が表示されるため、早朝／夜間高血圧の傾向を明確に判断することができる。その結果、精度の良い血圧管理が可能となる。
【０１０２】
なお、本実施の形態では、測定データＭに含まれる時間情報として時間帯データＴを用いたが、結果表示の際に時間帯情報が表示されれば、時刻であってもよい。その場合、表示処理部１０８は、記憶された時刻を時間帯に置換し、置換した時間帯を表示部４０に表示する。
【０１０３】
上述のように、血圧計１は、太陽電池５０からの電気エネルギーを蓄える充電池５１を備える。そのため、従来のような電池交換の煩わしさ、および、その度に必要とされていたクロック設定の煩わしさを解消することができる。
【０１０４】
また、従来より電波時計のような自動的にクロック設定できる装置も存在するが、電波時計は、電波が届かない場所や地域では機能しない。これに対し、本実施の形態における血圧計１は太陽電池５０を利用してクロック設定するため、使用地域が限定されることなくクロック４３の計測時刻の設定をすることができる。
【０１０５】
また、充電するたびにクロック設定処理が実行されるので、時間帯の信頼性が向上する。具体的には、ユーザが長期出張などにより血圧計１を時差のある海外で使用する場合でも、充電さえすれば、血圧計１が時差分を自動的に変更（修正）する。したがって、測定結果と対応付けられて記憶される時間帯の信頼性を損なうことなく、精度の良い血圧管理が可能となる。
【０１０６】
さらに、血圧計１の電源である太陽電池５０を利用して時刻設定ができるため、別途、自動クロック設定のための装置を設ける必要がなく効率的である。
【０１０７】
なお、上述のように、生体情報測定装置は、体組成計であってもよい。その場合、被測定者の特定情報として、所定の身体部位に配置された電極間の電位差、または、インピーダンスが検出される。検出された電位差またはインピーダンスに基づいて、公知の手法に基づき、体組成（たとえば体脂肪）が算出される。
【０１０８】
＜変形例１＞
上述の実施の形態の血圧計１は、充電する度に、クロック設定を行なうものであった。したがって、どのような地域で血圧計１を使用しても、クロック４３の計測時刻（内部設定時刻）を適切な時刻に設定することができた。
【０１０９】
しかしながら、同一の地域で使用される場合などにおいては、クロック４３の設定処理が行なわれた場合、メモリ部３９に記憶された時間帯の信頼性は、薄いとも考えられる。そのため、メモリ部３９に記憶された時間帯の信頼度を識別できるようにしてもよい。
【０１１０】
そのような例を本実施の形態の変形例１として以下に説明する。なお、変形例１における血圧計の外観、構成および基本的な動作は、上記実施の形態と同様である。したがって、以下、実施の形態と異なる部分のみ説明する。
【０１１１】
図１１は、本発明の実施の形態の変形例１における測定結果情報のデータ構造を示す図である。
【０１１２】
図１１を参照して、メモリ部３９における測定結果記録領域３９０＃には、測定値と時間帯とが対応付けられたレコードが、測定データＭ＃１〜Ｍ＃ｍ（ただし、ｍ＝１，２，３，…）として格納される。各測定データには、上記実施の形態で説明した最高血圧データＳＢＰ、最低血圧データＤＢＰ、脈拍数データＰＬＳおよび時間帯データＴに加え、時間帯Ｔの信頼度を識別するための信頼度フラグＦが含まれる。信頼度フラグＦは、たとえば、信頼度が高い場合に「０」、信頼度が低い場合に「１」とする。
【０１１３】
なお、測定の際の時間帯とその信頼度とは、対応付けされて格納されればよく、このような格納形式に限定されるものではない。
【０１１４】
変形例１における血圧測定処理は、上記実施の形態と同様であるが、図８のステップＳ１１２において血圧を記憶する際、信頼度フラグＦは「０」として記憶するものとする。
【０１１５】
変形例１における時刻設定処理も、基本的には実施の形態と同様である。
変形例１においては、設定処理部１２４は、図７のステップＳ２８において、クロック４３の計測時刻を変更（設定）するとともに、メモリ部３９に記憶されている全ての測定データＭの信頼度フラグＦを「０」から「１」に書き換える。これにより、設定前に記録された過去の時間帯は、信頼度が薄いこととして記憶される。この処理が終わると、ステップＳ３０に進む。
【０１１６】
図１２は、本発明の実施の形態の変形例１における測定結果の表示画面の一例を示す図である。図１２（Ａ）は、測定の際の時間帯の信頼度が高い場合の表示例であり、図１２（Ｂ）は、測定の際の時間帯の信頼度が薄い場合の表示例である。
【０１１７】
図１２（Ａ）を参照して、表示部４０には、たとえば、信頼度が高いことを示す「◎」マーク４１０が時間帯情報の表示領域４０１の上部に表示される。つまり、表示処理部１０８は、測定データＭの信頼度フラグＦが「０」であれば、所定の表示領域に、マーク４１０を表示する。
【０１１８】
図１２（Ｂ）を参照して、表示部４０には、たとえば、信頼度が薄いことを示す「△」マーク４１１が時間帯情報の表示領域４０１の上部に表示される。つまり、表示処理部１０８は、測定データＭの信頼度フラグＦが「１」であれば、所定の表示領域に、マーク４１１を表示する。
【０１１９】
このように、変形例１によると、過去の測定結果を確認する場合に、時間帯情報とともに信頼度の情報も表示される。そのため、より適切に、早朝／夜間高血圧の発見や健康管理を行なうことが可能となる。
【０１２０】
なお、信頼度の情報は、測定時間帯情報と関連付けられて表示されればよく、このような例に限定されるものではない。
【０１２１】
＜変形例２＞
なお、上記実施の形態およびその変形例１では、充電の度に、クロック設定処理をすることとしたが、必ずしもそのようにする必要はない。たとえば、クロック設定処理を自動で行なうか否かを、ユーザが選択できてもよい。
【０１２２】
そのような例を本実施の形態の変形例２として以下に説明する。なお、変形例２における血圧計の外観、構成および基本的な動作は、上記実施の形態と同様である。したがって、以下、実施の形態と異なる部分のみ説明する。
【０１２３】
変形例２における血圧計１は、ユーザにより自動でクロック設定するとの指示が前もって入力されている場合にのみ、充電の際に、クロック設定処理をする。
【０１２４】
より具体的には、メニューに自動クロック設定する／しないを選択する項目を設ける。ユーザがにより操作部４１が操作されて、いずれか一方が選択されると、ＣＰＵ１００は、その情報をメモリ部３９の所定の領域に記憶する。
【０１２５】
図７のステップＳ４において充電が開始されたと判断された場合に、ＣＰＵ１００は、メモリ部３９の所定の領域を参照する。自動クロック設定するとの情報が記憶されている場合にのみ、設定制御部１０４は、上記クロック設定処理を実行する。
【０１２６】
変形例３によると、ユーザは、クロック４３の計測時刻が不適切である場合にのみ自動クロック設定を選択することができる。そのため、効率的であり、かつ、時間帯の信頼性をさらに高めることができる。
【０１２７】
＜変形例３＞
上記実施の形態では、血圧計１が時刻を計測するクロック４３を備えており、血圧測定処理の際には、クロック４３の計測時刻に基づいて、時間帯を判定した。
【０１２８】
しかしながら、血圧計１は、必ずしもクロック４３を備えていなくてもよい。血圧計１は、クロック４３に代えて、計時動作をするタイマ（以下「時刻計測用タイマ」という）さえ備えていれば、適切に時間帯を判定することができる。
【０１２９】
そのような例を本実施の形態の変形例３として以下に説明する。なお、変形例３における血圧計の外観、基本的な構成および基本的な動作は、上記実施の形態と同様である。したがって、以下、実施の形態と異なる部分のみ説明する。
【０１３０】
変形例３における血圧計１は、クロック４３に代えて時刻計測用タイマ（図示せず）を備える。
【０１３１】
変形例３において、図７のフローチャートのステップＳ２８の処理に代えて、次の処理が行なわれる。すなわち、推定された現在時刻が内部設定時刻と所定時間以上ずれていると判断された場合（ステップＳ２６においてＹＥＳ）、設定処理部１２４は、時刻計測用タイマのカウントを開始するとともに、推定された現在時刻を時刻計測用タイマの初期値として、たとえばメモリ部３９の所定の領域に記憶する。これにより、時刻計測用タイマの開始時点が、推定された現在時刻と対応付けられる。
【０１３２】
なお、ステップＳ２６で判断される内部設定時刻は、時刻計測用タイマのカウント値と、メモリ部３９に記憶されたタイマの初期値とに基づいて算出されたものとする。
【０１３３】
血圧測定処理でも、判定部１３４は、時刻計測用タイマのカウント値と、メモリ部３９に記憶されたタイマの初期値とに基づいて、現在の時間帯を判定することができる（図８のステップＳ１１０）。
【０１３４】
なお、上記実施の形態の変形例１〜３は、それぞれ組み合わせることもできる。
また、本発明の生体情報測定装置が行なう、クロック設定方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１３５】
提供されるプログラム製品は、フラッシュメモリなどのプログラム格納部にインストールされて実行される。なお、プログラム製品は、プログラム自体と、プログラムが記憶された記憶媒体とを含む。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】本発明の実施の形態における血圧計の外観を示す図である。
【図２】本発明の実施の形態における本体部を後方から見た斜視図である。
【図３】本発明の実施の形態における血圧計のハードウェア構成を示すブロック図である。
【図４】本発明の実施の形態における血圧計の機能構成を示す機能ブロック図である。
【図５】太陽電池が受光する照度の日内変動の典型例を示すグラフである。
【図６】太陽電池の出力電圧の２つの最大点の時間関係を示すグラフである。
【図７】本発明の実施の形態における血圧計のＣＰＵが実行するクロック設定処理の流れを示すフローチャートである。
【図８】本発明の実施の形態における血圧測定処理の流れを示すフローチャートである。
【図９】本発明の実施の形態における測定結果情報のデータ構造を示す図である。
【図１０】本発明の実施の形態における測定結果の表示画面の一例を示す図である。
【図１１】本発明の実施の形態の変形例１における測定結果情報のデータ構造を示す図である。
【図１２】本発明の実施の形態の変形例１における測定結果の表示画面の一例を示す図である。
【符号の説明】
【０１３８】
１  血圧計、１０  本体部、１０Ａ  表面、１０Ｂ，１０Ｃ  側面、１０Ｄ  背面、２０  カフ、２１  空気袋、２４，２４Ａ，２４Ｂ  エアチューブ、３０  ゴム球、３１  排気口、３２  圧力センサ、３５  発振回路、３９  メモリ部、４０  表示部、４１  操作部、４１Ａ  電源スイッチ、４１Ｂ  測定スイッチ、４１Ｃ  メモリスイッチ、４２  電源部、４３  クロック、５０  太陽電池、５１  充電池、５２  切替部、１００  ＣＰＵ、１０２  電圧監視部、１０４  設定制御部、１０６  測定制御部、１０８  表示処理部、１１２  切替制御部、１１４  取得部、１１６  抽出部、１１８  判断部、１２０  推定部、１２２  比較部、１２４  設定処理部、１３２  算出部、１３４  判定部、１３６  格納処理部、３９０  測定結果記録領域。
【図１】
2009195598.tif 000003
【図２】
2009195598.tif 000004
【図３】
2009195598.tif 000005
【図４】
2009195598.tif 000006
【図５】
2009195598.tif 000007
【図６】
2009195598.tif 000008
【図７】
2009195598.tif 000009
【図８】
2009195598.tif 000010
【図９】
2009195598.tif 000011
【図１０】
2009195598.tif 000012
【図１１】
2009195598.tif 000013
【図１２】
2009195598.tif 000014